(57)【要約】      （修正有）【課題】粗雑な商品やサービスが社会に出回ることを防ぐ。【解決手段】会員制の情報提供サービスにおいて、質の高い商品やサービスをその統括者がまず仮説を立て、これを会員の多くで検証し、結果を統括者に報告してもらい、その結果をインターネットで全世界へ公開することにより、質の高い商品やサービスのみが社会に行き渡るようする。【選択図】なし【特許請求の範囲】
【請求項１】
会員制の情報提供サービスを実行する仕組み
【発明の詳細な説明】
【発明の詳細な説明】
【技術分野】
【０００１】  本発明は、会員制で情報提供するサービスです。
【背景技術】
【０００２】  従来、会員制情報提供サービスは存在します。
【発明の概要】
【発明が解決しようとする課題】
【０００３】  ビジネスの中で申込期間を制限するものがあり、すなわち、申込期間を過ぎると、価格がたとえば２倍になるということで、その商品やサービスを購入することをあおり、粗雑な商品やサービスを購入させる、粗雑な商品やサービスが出回るという社会的課題がありました。
【課題を解決するための手段】
【０００４】  以上のような社会的課題を解決するため、申込期間を未来永劫に渡り、一切制限しない会員制情報提供サービスを設立しました。名称を（公序良俗違反につき、不掲載）（英語名：（公序良俗違反につき、不掲載）、日本語別名：（公序良俗違反につき、不掲載））とします。設立者兼統括者は、木野修碁です。  どのような情報を提供するかというと、健康、医療、介護、金融、教育、結婚、家庭、平和、生活、食事、経済の現在、１１分野に渡っています。すなわち私たちの生活に日々直結する内容です。  簡単に言うと、生活にかかるコストすなわち経費を最小限にし、これにより可処分所得を最大限にします。経済的、肉体的、精神的に自由度が広がります。  苦痛に遭遇する確率は、現状から下がり、いずれ苦痛に遭遇することが一切無くなると推定しています。  従来の大半の商品やサービスは、その商品やサービスを利用することによるエビデンス（証拠）が、現時点での消費者にとって不明瞭であるにもかかわらず、代金を全額、先払いにして、消費者の方々にリスクを負わせている、投資させていると言うことができます。世界の歴史上、そろそろこうした時代に幕を閉じる必要があります。  木野修碁が提供する（公序良俗違反につき、不掲載）による情報は、常にエビデンス（証拠）をインターネット上で全世界に公開します。たとえば、グーグルのスプレッドシートで公開することもできます。  消費者の方々は、そのエビデンス（証拠）を確認できるところが世界史上、画期的だと思われます。  悪意のある方が、このスプレッドシートにでたらめな情報を貼り付ける危険性がありますが、ご安心下さい。会員から電子メールで送られて来るデータは、事務局のエクセルに入力して蓄積して行き、これを公開用のエクセル仕様のスプレッドシートに貼り付けて、たびたび更新しますので、そのような手間暇自体がそもそも無意味になるようにします。  さて、従来のたいていの商品やサービスは、その効用を追跡調査したり、公開したりしていない場合が大半です。  たとえば、２０１８年現在においては、病院や医院でも、その治療により、どれだけのパーセンテージの患者の方々が回復しているのかについての情報は、公開されていません。公開されていないので、もしかすると、そこの病院や医院では、その病については誰も回復していないかもしれません。  私たち（公序良俗違反につき、不掲載）においては、会員に、（公序良俗違反につき、不掲載）事務局に、たとえば健康診断書の当該仮説の実践前と実践後の両方を、スマートホンやパソコンのカメラ機能で撮影して頂き、電子メールで送って頂き、状況を知らせて頂き、結果を全世界へインターネットを通じて公表いたします。  ここのところが、従来無かったと思われる仕組みです。  従来の商品やサービスは、いわゆる宗教のような側面があります。一般的ないわゆる宗教というものは、本当かどうか実際のところ分からないことを、こうだと断言し、そのことを信じ込ませてしまう、またその方向で強引に説き伏せて丸め込んでしまうということに問題がありました。  私たち（公序良俗違反につき、不掲載）は、何千年も続いたこうした悪しき流れを、世界史的に断ち切ります。宗教ではなく、正式に、科学が流通するよ��にします。  科学とは、仮説があれば、それが本当かどうか、一つ一つ検証し、その検証結果を全世界に向けて公開するということです。  これにより、従来のように、粗雑な商品やサービスが流通しないようにします。  会員が（公序良俗違反につき、不掲載）に状況を知らせることで、すなわち一番良いとして仮説として立った商品やサービスを会員で自由に試して頂き、結果を（公序良俗違反につき、不掲載）事務局に知らせることで、そのデータが蓄積されて行く様子を全世界に向けて、インターネットで公開するわけです。  これにより、全世界に粗雑な商品やサービスがまかり通らないようにします。  木野修碁は、日本国特許庁の特許を持っています。日本国特許第４５３８７０８号です。結婚情報サービスの方法について特許を取得しました。  これから夢のような内容をお知らせします。  そうすると、地に足がついていない人だと思われるかもしれませんが、私が本当に地に足がついていなければ、すなわち、論理的、現実的におかしなことを記していれば、そもそも日本国特許庁の審査官の方々が、特許にすることはないことはご理解頂けるものと存じます。  インターネット上、ｈｔｔｐｓ：／／ｂｕｓｉｎｅｓｓ．ｂｅｎｇｏ４．ｃｏｍ／ｃａｔｅｇｏｒｙ５／ｐｒａｃｔｉｃｅ３０１によりますと、吉羽真一郎弁護士が、次のように記しています。  特許法上の「発明」の要件を満たした発明であっても、全ての発明が特許を受けられるわけではなく、特許要件を満たした発明のみが特許を受けられます。特許要件とは、その発明が、産業上利用できるものであること（産業上の利用可能性）、新しいものであること（新規性）、容易に考え出すことができないこと（進歩性）、先に出願されていないものであること（先願）、公序良俗に反するものでないことの各要件を言います。  私は、特許出願をするにあたり、弁理士の方々に相談に行きました。そうすると、私の出願内容の場合、相場として７００万円ほどかかり、さらには特許にできる保証は無いということが分かりました。  こうした事情を踏まえ、私は特許庁から特許出願の手引きの冊子を送って頂き、さらに特許関連の分厚い書籍を２冊購入し独学することで、特許を出願し、途中、一旦却下されますが、行政不服審査制度があることを知り、不服申し立てを行い、特許庁の審査官の方々にご説明しご理解頂き、審査が通り、特許にこぎつけました。  さて、（公序良俗違反につき、不掲載）の情報サービスは、連鎖販売取引（ネットワークビジネス）を活用して拡販して頂いても結構です。  但し、その仕組みは、統括者がその連鎖販売取引の活用を認定するかどうか決めます。複雑で統括者が理解できないものは、許可しません。また消費者の方々を不当に不利にすると判断した場合にも、許可しません。また運用して頂く中で、不都合が発見された場合は、事務局から許可を取り消します。  消費者の方々を未来永劫に渡り、お守りするためです。  連鎖販売取引で拡販したいというご希望のある方は、電子メールアドレス（公序良俗違反につき、不掲載）に連絡下さい。このメールアドレスは、２０１８年現在において、（公序良俗違反につき、不掲載）事務局、統括者木野修碁のものです。  連鎖販売取引をされる方は、本稿の全文および特定商取引法に基づいて作成した概要書面の以上の２点を必ず、相手の方に提供して下さい。  連鎖販売取引の全世界への普及により、今後、企業は広告費をかける必要がなくなる時代が到来すると予測しています。従来、企業は高額な広告費と営業職の人件費に悩まされて来ました。テレビコマーシャルに１０秒間で何百万円、時には何千万円と投じられていると聞いたことがあります。  これらの広告や営業の経費は、その分、当然のことながら、価格に反映され、物価を押し上げることになってしまっています。すなわち、商品やサービスを購入する私たちが負担している状況です。  従来まで広告や営業に使われていた経費は、今後、連鎖販売取引の報奨金に移し代えられて行くと予測しています。すなわち近い将来、広告や営業が必要なくなる時代が到来すると予測しています。  営業マンの方々が営業目標の数値ノルマに追われていた時代は終焉すると予測しています。営業職の多数の方々が、こうした営業目標に対する数値ノルマに、どれだけ苦しんでおられたか分かりません。まもなくこうした苦しみから解放される時代が到来すると予測しています。  また、営業マンの方々は、自社の商品やサービスよりも、他社のものの方が、上回っていることを知っていても、自社から、自社の商品、製品、サービスを販売することを強要され、給料をもらうためにやむをえず、自社の商品やサービスを販売してしまい、その面で良心がとがめてしまうという方々も多数おられたと思います。  こうした問題から世界全体が開放されて行く道筋を作るのが、このたび木野修碁が設立した（公序良俗違反につき、不掲載）の情報提供サービスです。  そして、このサービスを連鎖販売取引にドッキングさせるのです。  （公序良俗違反につき、不掲載）の情報提供サービスを、連鎖販売取引を通じて拡販して行くことは、今後さらに発展させる必要があります。  広告や営業で物価を高くし、消費者に負担をかけ、営業マンを苦しめるという従来の世界から、こうしたことのない世界へ移行させる大変崇高な使命があると言えることになります。  連鎖販売取引の仕組みにより、紹介者にインセンティブを提供し、販売を促進するのです。  さて、連鎖販売取引をする場合、契約は、話し合ったその日から１か月以内にしないと、契約できないようにする、あるいは金額が上がるような仕組みに勝手に決めて、相手の方をあおってはいけません。  従来、商品やサービスの販売で、インターネットのホームページで販売されている場合、表示されたところから、あと何日、何時間、何秒と数値が刻一刻と表示されて、契約を急がせるものが２０１８年現在、多数存在しています。このように消費者を急がせ、判断を誤らせて契約を取るという悪しき流れも、世界の歴史上、断ちます。  （公序良俗違反につき、不掲載）において、万一このようなことをしておられる会員の方がいたら、上記電子メールアドレスに御一報下さい。調査の上、悪質な場合、除籍します。除籍となった場合、再び入会したいとご希望されても、今度は実際に一括で代金２５憶円あまりを支払って頂かないと再入会を原則認めません。  木野修碁は、未来永劫に渡り、勧善懲悪を推進します。そして、全世界からいずれ悪を完全に解消し、全て善で満たされ��ようにします。そのようになるように、今後も、次々に仕組みを構築してまいります。今も構築し続けています。  悪などをすれば、悪をするその人当人が、全世界を統括する神佛から、未来において裁かれることになることを私は知っています。  さて、お知らせしなければならないことがあります。（公序良俗違反につき、不掲載）  上記までのところで、不思議に思われた方がおられると思います。  そうです。そのまま行くと、生涯を終えるところで、たとえば２４憶９千万円ほどが、まだ支払っていない残額として残るということです。  大丈夫です。  生涯を終えられたところで、木野修碁が、たとえば、その２４憶９千万円を当該会員にプレゼントさせて頂くという夢のような仕組みです。  すなわち、会員となられた方から、常に木野修碁から、言ってみれば支援金および大変貴重な科学的検証にかけられる情報を通じて生涯守られるという形になります。  木野修碁がこの生涯を終えて、即、あちらの世に生まれても、この地球上においては、未来永劫に渡り、後世の全ての皆様に例外なく、このようにプレゼントさせて頂くことが、連綿と続いて行くという夢のような仕組みです。  さて、（公序良俗違反につき、不掲載）の全世界への展開により、全世界における貧富の格差を解消しようと思っています。貧困の方々をお救いする方向への仕組みを実行いたします。  具体的には、原則、開発途上国の国民の全会員の方々には、月々のお支払い、すなわち会費を全額、木野修碁がプレゼントさせて頂く形を取ります。すなわち、一切、（公序良俗違反につき、不掲載）にお支払いになる必要がないということです。（公序良俗違反につき、不掲載）  先進国においては、生活保護自給者の方々、障害者手帳をお持ちの方々も、支援をさらに厚くする必要があります。木野修碁が同様にプレゼントさせて頂きます。ご安心下さい。  よって、この世に人類として生まれて来られた全ての皆様が、そして、後世に渡る全人類の皆様が、木野修碁から約２４憶９千万円のあるいは全額のプレゼントを、木野修碁から、心から愛を込めて贈られることができるということです。  そうです。皆様は既に木野修碁から惜しみない愛の提供を受けることができるのです。  もう既に、これだけの愛をもらうことができるのですから、決して他者を憎んだり、ねたんだり、悪く思ったりしないで頂きたいです。  さて、世界平和の構築方法については、気づき始めています。（公序良俗違反につき、不掲載）  私は、２５年以上に渡り、毎日、朝起きてすぐと、夜寝る前に、合計１時間以上、全人類が、そして人類にとどまらず全次元全存在が、心から幸せになり、悟った人、すなわち覚者となって幸せになりますようにと、神佛に祈りを捧げてまいりました。  今後も未来永劫に渡り、当然のごとく、そのようにしてまいります。なぜなら、これは神佛へのお願いとともに、同時に自分の心掛け、心をそのように常にしておく力が凝縮されて行くことに気づいているからです。皆様もそのことは、よくイメージして頂ければ、ご理解頂けるかもしれません。（公序良俗違反につき、不掲載）  さて、（公序良俗違反につき、不掲載）会員は、事務局に対して、いずれは改定されるかと思いますが、まずは電子メールにより、毎月２５日��、（公序良俗違反につき、不掲載）からのご提案を実践された結果を、証拠も含めて提出することとします。この提出は、仮説を検証して行く大変重要な要となり、世界貢献となることをよく自覚して、進んで実施して下さい。（公序良俗違反につき、不掲載）の商品やサービスは、仮説を検証して行くことによって、成立しているからです。もしこれを怠っておられる場合、場合によっては除籍処分とさせて頂く場合があります。このことが機能しないことは、世界貢献を第一とする（公序良俗違反につき、不掲載）の活動の根幹を揺るがすことになるからです。  また、仮説を実施する前と後の各々の健康診断書のうち、良化して、健康である数値になった場合、全員、明確な氏名とともに、全世界へインターネットを通じて公開をし続けます。ここで自分だけ隠しておけばよいというのは、道理から外れています。自分が健康になったことが、全世界の皆様への啓発につながるようにという広大な心に、成長させて行く必要があります。よって、このように（公序良俗違反につき、不掲載）会員全員のうち、健康な数値になった方々全員の分の健康診断書を、全世界へ向けて公開することに、同意の意思を示されたことになることを、最初の２万７千円のお振り込みにより、契約として確定するものと、ここにいたします。（公序良俗違反につき、不掲載）  この仕組みによると、繰り返しになりますが、一生を終えたところで、おそらく２４憶９千万円ほど残額が残ることになりますが、その一生を終えられた時点で、その時点での統括者が、なんと、あなたにその残額全額をプレゼントするという夢のような仕組みです。  よって、相続により、家族の方々が私からの負債を背負うということは一切ありえません。ここにしっかりと明記する次第です。  退会は、いつでも自由です。定額自動送金を止めて頂ければ、退会とみなします。毎月２５日に定額自動送金であることを踏まえると、送金なく２回目の２５日が過ぎれば、正式に退会とみなします。但し、退会となった場合、再度入会したいとご希望になっても、今度は一括で２５憶円＋消費税をお支払い頂かないと、再入会を認めません。  なぜこのようにするかというと、たとえば極端な場合、１か月間だけ会員となって、あとは退会し、会費を納めないとなると、生涯に渡って会費を納め続ける他の会員の方々との不公平が生ずるからです。  残高不足で支払いが数日遅れた場合程度であれば、ご連絡頂ければ、再度振り込んで頂ければ、会員維持を認めます。但し、こうしたことがあまりに多い場合は、正式に退会とみなす場合もあります。ご注意下さい。  連鎖販売取引の事務局から認定された総元締めの方は、御自分の系列の会員の生存を定期的に御自分に電子メールやＦａｃｅｂｏｏｋのＭｅｓｓｅｎｇｅｒや電話などで安否を連絡して頂く仕組みを作って管理します。退会になったにもかかわらず、すなわち、当該会員から事務局への定額自動送金が止まっているにもかかわらず、事務局から報奨金の振り込みが総元締めの方に来てしまうことのないように計らう責任が総元締めの方にあるものとします。退会された会員分の報奨金をもらう必要がないのに、もらっていたということが発覚した場合には、当然のことながら、事務局に当該金額を一括で返金して頂きます。  上記のようなことのないように、連鎖販売取引における系列上、すぐ上の紹介者は、常に自分が紹介した系列上、すぐ下の会員の方から、安否を定期的に電子メールＦａｃｅｂｏｏｋのＭｅｓｓｅｎｇｅｒや電話、あるいは会合など何でもよいので、連絡を取り合える仕組みを作り、管理して下さい。亡くなっている場合に備えて、契約時に、会員の御家族もしくはごく親しい連絡のつく御友人の氏名と携帯電話番号の２種類の情報は、契約時に電子メールで情報を受け取り、管理していて下さい。当該会員が亡くなったと分かったら、（公序良俗違反につき、不掲載）事務局の上記電子メールアドレスへ、その旨、連絡して下さい。連絡が来てはじめて、事務局は、総元締めの方への報奨金の定額自動送金を止めます。  連鎖販売取引の報奨金の全ての管理は、当該総元締めの方が行い、責任を取ることとします。責任を取ると言っても、報奨金の間違いを解消する、関係者に謝罪するという、この２点だけです。  事務局からの報奨金の全額は、定額自動送金で総元締めの方にお送りします。総元締めの方から、系列下へ報奨金の分配をして下さい。  一番簡単なのは、当該会員がいる系列すぐ下の会員へ御自分の取り分を除いた報奨金残額を定額自動送金することかと思います。当該すぐ下の会員も、御自分の取り分を除いた報奨金残額を系列すぐ下の会員へ定額自動送金するという仕組みです。  但し、連鎖販売取引の報奨金の分配をどこかで間違っていても、間違っていた方に対して損害賠償請求を一切しないことを、（公序良俗違反につき、不掲載）との契約の条件とします。規定とします。第１回の振り込みをされたことをもって、このことに同意したものとみなします。そもそもこの規定を順守できない方は、（公序良俗違反につき、不掲載）と契約してはいけません。  その他、（公序良俗違反につき、不掲載）においては、会員どうしで何かあれば話し合い、和合を第一とします。統括者、事務局、全会員において、損害賠償請求や訴訟を起こすことは、できないこととします。このようなことをされる方は、最初の契約自体できません。損害賠償請求や訴訟は、人間社会に無用な緊張や苦痛をお互いに生みます。皆で話し合って和合して行くことが大切です。損害賠償請求や訴訟のない世界を作り、平和な社会を築きます。万一、損害賠償請求や訴訟を起こした場合、退会処分とします。そもそも２５憶円のサービスなので、２５憶円の残額と相殺することとします。相殺と同時に退会処分といたします。退会となった場合、再入会する場合には、今度は、契約時に一括で２５憶円支払って頂くこととします。  さて、総元締めの方を２名ほど認定しようと思っています。  （公序良俗違反につき、不掲載）が提供する情報を活用することにより、そもそも病にならない可能性があります。今後、会員全員で検証、全世界にインターネットで公開してまいります。現在、病であっても他のどのような治療よりも短期間で苦痛が無くあるいは苦痛を和らげ完治する可能性がある仮説を私は持っています。サプリメントは２種類、情報提供します。１か月１千円程度のものです。合計しても２種類で３千円程度だと思われます。一つは便秘解消のもの、もう一つは、ビタミン、ミネラルが全て入り、��類が入っていないものであり、健康増進に必要なものです。市販されているものを紹介します。以上が健康増進のために必要な商品です。  それ以外のサプリメントは必要ありません。  以上の経費だけで、健康回復あるいは健康増進ができると推定されます。会員全員で検証し全世界へインターネットで公開し続けます。（公序良俗違反につき、不掲載）  但し、氏の情報においては、健康ふすまパンというものを購入し毎日食べていないと、この食事療法の継続が難しいとされています。  ホームページの情報によると、２０１８年現在、１０日間で約１万円ですから、３０日、すなわち１か月ごと、すなわち毎月約３万円が一人あたりにおいて必要です。  これに対し、木野修碁の情報の場合、健康ふすまパンが必要ありません。その方法を木野修碁が開発し情報として提供しています。（公序良俗違反につき、不掲載）氏の情報からすると、病は完治しますが、毎月パン代で一人あたり３万円必要です。家族４人いたら、それだけで、３万円×４人＝１２万円、毎月必要になります。  木野修碁の情報は、２０１８年現在の消費税で、消費税込みで２万７千円＋３千円＝３万円で、そのうち、２万７千円は、一世帯全員で情報を共有して頂く分です。そして、３千円ずつが、御一人御一人に必要な分です。  私の情報の場合、この金額で、提供できる情報は、現在であっても、健康、医療、介護、金融、教育、結婚、家庭、平和、生活、食事、経済の現在、１１分野に渡っています。これらの経費がかからなくなります。今後も、情報を次々に構築次第、随時情報を増やしてどこまでも充実させてまいります。それでも代金、月々のお支払い、すなわち会費の金額はそのままです。これも夢のような仕組みです。  たとえば、教育においては、学習塾にお子さんを通わせる必要がなくなり、私立学校に通わせる必要もなくなります。一人のお子さんに、家庭教師や学習塾に毎月２万円ほどは最低でもかかっていると思われますので、もうこれだけで、お子さんが２人いれば、４万円かかります。こうしたものを一切使わずに済むのです。私の情報では、分かりやすいところでは、一般公立中学校において学年１１９番だった生徒が、１年以内に学年８番になった生徒をはじめとした実績が既に数名あります。こうしたことは、家庭教師に教えてもらったり、ありいは学習塾に通っても大変な至難の業です。全て実行した生徒は、障害がなく健康な生徒であれば、今のところ例外なく１００番程度、順位が上昇しています。これにより、お子さんの将来の所得に違いが出て来ます。今後、この情報が普及して行くと、当然、順位の上昇度や偏差値の上昇度は、鈍化して行くことは、ご理解頂けるものと思います。その代わり、国民全体の学習力は、これまでの時代と比較すれば、相対的に上昇し続けます。よって、今後は、問題のレベルを時代を経ても同じ程度にして、過去の時代の方々との学力比較をする流れにすれば、過去の時代の方々との比較による学力上昇を数値的に実感することができます。  なお、スプレッドシートもしくはホームページで、成績上昇の、学校の成績表を随時、公開する予定です。スマートホンやパソコンのカメラ機能で撮って頂き、事務局へ送って頂くことで、これらを公開します。  また、健康診断���毎年１回など随時受けて頂き、健康診断書をスマートホンやパソコンのカメラ機能で撮って頂き、公開する予定です。  成績が上昇した会員の学校の成績表を公開し、健康になった会員の健康診断書を公開する情報サービスが世界史上かつてあったでしょうか？  情報活用前の日付入りの健康診断書と情報活用後の日付入りの健康診断書とを比較して公開します。  私のこれまでの発展段階からすると、もうこうしたことはないはずですが、万一、悪化した数値が出た場合、あるいはそれほど良化していない場合は、公開しませんので、ご安心下さい。報告は随時、（公序良俗違反につき、不掲載）事務局に御寄せ頂きますので、結果が出ない場合は結果が出るまで、統括者が新しい仮説を考案し、情報を提供し、検証頂きます。（公序良俗違反につき、不掲載）は、常に仮説、検証を繰り返してまいります。  こうした仮説、検証を繰り返して行くことが、科学です。そして、良化したという情報を、全世界にインターネットを通じて公開してまいります。  決して途中であきらめることはありません。あなたの貴重な情報が、全世界の方々の未来の会員の方々をお救いすることになるのですから。  よく常識に沿った生き方をして下さいと言われる方がいます。違っています。全世界を主宰している神佛が作っている道理を発見し、この道理に沿った生き方をすると、幸せな生き方ができるようになります。常識も知っている必要はありますが、常識は、道理を発見するためのヒントに過ぎません。常識は常識として知っていた上で、道理および神佛に、心をいつも向けていると、幸せな人生を生きることができることに、木野修碁は気づいています。常識に沿った生き方をするのではなく、道理に沿った生き方をするのです。そうすると幸せになれます。常識は時に、道理からかけ離れている場合があるからです。  よって、皆様、２０１８年現在においては大変衝撃的な食事法を情報提供しますが、決して常識から考えてはいけません。道理から考えるのです。道理は、仮説を試し、結果を得ることです。すなわち勇気を持って検証することです。常識にいつまでもしがみついていると、永遠に道理から取り残されます。  また、よく多面的な見方をして下さいと言われる方がいます。多面的な見方は、道理を発見する時に、ヒントになるだけです。  多面的な見方をし、これをヒントにしたあと、論理と感覚を融合して、その中で、道理にかなっている、おそらくこれだという説を一つ調合して、これを仮説とし、まずこれを実践してみないと、それが道理だったのか、道理ではなかったのか、一向に結論が出ない中途半端な状態が続くことに気づく必要があります。  私は、（公序良俗違反につき、不掲載）氏の説と実践を踏まえ、ここから調合して、新たな仮説を立てました。  なお、会員の方々には、事務局が提案する仮説を、勇気をもって実践して頂きたいですが、どうしてもそれができないという方は、無理にやらなければならないことは、一切ありませんので、ご安心下さい。そのままの状況を試されて、それを毎月報告されることは、あまり大きな社会貢献とはならないのですが、それはそれで意義がないわけではありません。しかし、これはどうしても自分さえよければよいという方向に傾いています。自分を世界のために、後世に渡る世界人類のために捧げようという崇高な心掛けに、全世界を主宰する神佛は感応されることを、私は気づいています。なかなかここまで気づくこと、神佛との差を取ること、悟ることは、難しいのかもしれません。  いろいろな方々のいろいろな実践報告が、そのまま、（公序良俗違反につき、不掲載）の、そして、全世界の貴重な財産となります。そのためには、それぞれの実践報告を、（公序良俗違反につき、不掲載）を通じて全世界へ公開することが重要であることは、ご理解頂けるものと思います。  さて、どこまでサービスを増やしても、月々のお支払いと代金ともに固定といたします。夢のような仕組みかと思います。但し、２０１８年現在の全世界の経済状況における２５憶円、毎月２万５千円の金額です。金額は経済状況に合わせて行きます。すなわち、会員の方々が、不利にならないように計らわせて頂くので、ご安心下さいということです。世界の経済状況によっては、もしインフレーションになった場合、毎月の２万５千円が大変厳しくなるので、こうした場合、たとえば１万円へ減額して、全会員をお守りします。なぜなら、全ては神佛が常にご照覧になっていることを知っているからです。全会員の皆様を苦しめることを、私が当然するはずがありません。私が亡くなった時代に、もしこのようになった場合は、統括者は、物価スライド制を適用して、金額を設定して下さい。統括者は、会員の皆様を未来永劫に渡り、お守りして下さい。  さらにお伝えします。御一人が会員となったら、同居する一世帯全員が家族会員として情報を共有して頂くことができます。  但し、別居する別世帯の方に、当該情報を知らせることは認めません。もちろん、知人、友人、第三者に知らせることもできません。こうしたことはおやめ下さい。私への著作権の明確な侵害となります。また、全世界の他の全会員の方々の利益も相対的に侵害します。このことにお気づき下さい。また、私の著作権ある情報のうちの、たとえ一部分であっても情報販売することも、論理的に、私の著作権を侵害し、さらに全世界の全会員の方々の利益も相対的に侵害することにご留意下さい。  但し、私が（公序良俗違反につき、不掲載）氏の説を基盤に、そこに独自のアイディアを加えたように、より一層の社会への貢献ができる新しい説を調合された場合には、当然のことながら、私の著作権を侵害してはいません。こうした新しく有益な情報が形成されて行くのであれば、これは好ましいことです。心から推奨いたします。  但し、仮説を立て、会員全員で検証して行く仕組みは、私が既に著作権を、この特許出願により、結果的に証明されてしまいます。私の仕組みを使わずには、検証することができないかと現時点では思います。  さて、隠れたところで著作権を侵害しようと思えば、できるかもしれませんが、全ては神佛がお見通しです。侵害すれば、神佛があなたに罰を与えざるを得なくなってしまいます。  私は、今回の情報提供サービスの仕組みを、神佛から教えて頂いたものということに気づいています。本稿をお読みの皆さんも、近い将来、私と同じようになれると思っています。それは、（公序良俗違反につき、不掲載）に入会頂ければ、まさに大変貴重な情報として、どのようにして神佛��ら、自分にとって必要なことを教えて頂けるのかを、ご希望あれば、私からお伝えできるからです。神佛とは、全世界を主宰しておられる神佛です。